【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
無線アクセス端末（Ｗ−ＡＴ）のユーザーの主身元を明らかにすることなしに前記Ｗ−ＡＴから遠隔装置にユーザー情報を提供する方法であって、
前記Ｗ−ＡＴに関する代替ユーザー識別子を生成することと、
前記Ｗ−ＡＴ上のターゲット特定コンテンツ−メッセージ情報、及び前記Ｗ−ＡＴ上のユーザープロフィール情報のうちの少なくとも１つに基づいて前記Ｗ−ＡＴにおいて第１の情報を生成することと、
前記代替ユーザー識別子及び第１の情報を前記遠隔装置に提供すること、とを含む、方法。
【請求項２】
前記第１の情報は、前記Ｗ−ＡＴと関連づけられた１つ以上の情報を含む請求項１に記載の方法。
【請求項３】
前記代替ユーザー識別子及び前記第１の情報に基づいて前記遠隔装置から第２の情報を受信することをさらに備える請求項１に記載の方法。
【請求項４】
前記第２の情報に基づいて前記遠隔装置から１つ以上のターゲット特定コンテンツメッセージを受信することをさらに備える請求項１に記載の方法。
【請求項５】
前記第２の情報を前記Ｗ−ＡＴの前記ユーザープロフィール内に組み入れることをさらに備える請求項４に記載の方法。
【請求項６】
前記第２の情報は、国勢調査情報を有するデータベースから導き出される請求項５に記載の方法。
【請求項７】
前記第２の情報は、前記ユーザーの推定年齢及び民族上の素性のうちの少なくとも１つに関連する情報である請求項６に記載の方法。
【請求項８】
前記第１の情報は、地理上の所在場所である請求項７に記載の方法。
【請求項９】
前記代替ユーザー識別子は、ハッシュ値である請求項１に記載の方法。
【請求項１０】
前記ハッシュ値のソースは、前記主識別子に基づく請求項９に記載の方法。
【請求項１１】
前記ハッシュ値の前記ソースは、前記遠隔装置によって提供された値、乱数値、疑似乱数値、及び時間に基づく値のうちの１つに基づく請求項１０に記載の方法。
【請求項１２】
前記ハッシュ値は、その他の生成された値との衝突確率が低くなるようにするために計算される請求項９に記載の方法。
【請求項１３】
ターゲット特定コンテンツ−メッセージ関連データの要求に応じて前記代替ユーザー識別子を提供し、それによって特定のユーザーデバイスを識別することなしに一意の識別子を提供することをさらに備える請求項１に記載の方法。
【請求項１４】
前記Ｗ−ＡＴにおいて生成された前記第１の情報は、前記Ｗ−ＡＴのユーザーを識別することなしにターゲット特定コンテンツ−メッセージ関連メトリックを提供する請求項１３に記載の方法。
【請求項１５】
ターゲット特定コンテンツ−メッセージを消費者に引き渡す能力を有する無線アクセス端末（Ｗ−ＡＴ）であって、
前記Ｗ−ＡＴに関する代替ユーザー識別子を生成するための手段と、
前記代替ユーザー識別子及び第１の情報を前記遠隔装置に提供するための手段と、を備える、無線アクセス端末（Ｗ−ＡＴ）。
【請求項１６】
前記第１の情報は、前記Ｗ−ＡＴと関連づけられた１つ以上の情報を含む請求項１５に記載の端末。
【請求項１７】
前記代替ユーザー識別子及び第２の情報に基づいて前記遠隔装置から第２の情報を受信するための手段をさらに備える請求項１６に記載の端末。
【請求項１８】
前記第２の情報に基づいて前記遠隔装置から１つ以上のターゲット特定コンテンツメッセージを受信するための手段をさらに備える請求項１７に記載の端末。
【請求項１９】
前記第２の情報は、前記Ｗ−ＡＴの前記ユーザープロフィール内に組み入れられる請求項１７に記載の端末。
【請求項２０】
前記第２の情報は、国勢調査情報を有するデータベースから導き出される請求項１９に記載の端末。
【請求項２１】
前記第２の情報は、前記ユーザーの推定年齢及び民族上の素性のうちの少なくとも１つに関連する情報である請求項２０に記載の端末。
【請求項２２】
前記第１の情報は、地理上の所在場所である請求項２１に記載の端末。
【請求項２３】
前記代替ユーザー識別子は、ハッシュ値である請求項１６に記載の端末。
【請求項２４】
前記ハッシュ値の前記ソースは、前記主識別子に基づく請求項２３に記載の端末。
【請求項２５】
前記ハッシュ値の前記ソースは、前記遠隔装置によって提供された値、乱数値、疑似乱数値、及び時間に基づく値のうちの１つに基づく請求項２３に記載の端末。
【請求項２６】
前記ハッシュ値は、その他の生成された値との衝突確率が低くなるようにするために計算される請求項２３に記載の端末。
【請求項２７】
ターゲット特定コンテンツ−メッセージを消費者に引き渡す能力を有する無線アクセス端末（Ｗ−ＡＴ）であって、
前記Ｗ−ＡＴに関する代替ユーザー識別子を生成するように構成された第１の処理回路モジュールと、
前記代替ユーザー識別子及び第１の情報を前記遠隔装置に提供するように構成された送信回路と、を備える、無線アクセス端末（Ｗ−ＡＴ）。
【請求項２８】
前記第１の情報は、前記Ｗ−ＡＴと関連づけられた１つ以上の情報を含む請求項２７に記載の端末。
【請求項２９】
前記受信回路は、前記代替ユーザー識別子及び第２の情報に基づいて前記遠隔装置から第２の情報を受信するようにも構成される請求項２８に記載の端末。
【請求項３０】
前記第２の情報に基づいて前記遠隔装置から１つ以上のターゲット特定コンテンツメッセージを受信するように構成された受信回路をさらに備える請求項２９に記載の端末。
【請求項３１】
前記第２の情報は、前記Ｗ−ＡＴの前記ユーザープロフィール内に組み入れられる請求項３０に記載の端末。
【請求項３２】
前記第２の情報は、国勢調査情報を有するデータベースから導き出され、前記第２の情報は、前記ユーザーの推定年齢及び民族上の素性のうちの少なくとも１つに関連する情報であり、前記第１の情報は、地理上の所在場所である請求項３１に記載の端末。
【請求項３３】
前記代替ユーザー識別子は、ハッシュ値である請求項３２に記載の端末。
【請求項３４】
前記ハッシュ値の前記ソースは、前記主識別子に基づく請求項３３に記載の端末。
【請求項３５】
前記ハッシュ値の前記ソースは、前記遠隔装置によって提供された値、乱数値、疑似乱数値、及び時間に基づく値のうちの１つに基づく請求項３３に記載の端末。
【請求項３６】
前記ハッシュ値は、その他の生成された値との衝突確率が低くなるようにするために計算される請求項３３に記載の端末。
【請求項３７】
コンピュータプログラム製品であって、  
前記Ｗ−ＡＴに関する代替ユーザー識別子を生成するための第１の組の命令と、
前記代替ユーザー識別子及び第１の情報を前記遠隔装置に提供するための第２の組の命令であって、前記第１の情報は、前記Ｗ−ＡＴと関連づけられた１つ以上の情報を含む第２の組の命令と、
前記代替ユーザー識別子及び第２の情報に基づいて前記遠隔装置から第２の情報を受信するための第３の組の命令と、
前記第２の情報を前記Ｗ−ＡＴの前記ユーザープロフィール内に組み入れるための第４の組の命令と、を備えるコンピュータによって読み取り可能な媒体、を備える、コンピュータプログラム製品。
【請求項３８】
前記第２の情報は、国勢調査情報を有するデータベースから導き出される請求項３７に記載のコンピュータプログラム製品。
【請求項３９】
前記第２の情報は、前記ユーザーの推定年齢及び民族上の素性のうちの少なくとも１つに関連する情報であり、前記第１の情報は、地理上の所在場所である請求項３８に記載のコンピュータプログラム製品。
【請求項４０】
前記代替ユーザー識別子は、ハッシュ値である請求項３７に記載のコンピュータプログラム製品。
【請求項４１】
前記ハッシュ値の前記ソースは、前記主識別子に基づく請求項４０に記載のコンピュータプログラム製品。
【請求項４２】
前記ハッシュ値の前記ソースは、前記遠隔装置によって提供された値、乱数値、疑似乱数値、及び時間に基づく値のうちの１つに基づく請求項４１に記載のコンピュータプログラム製品。
【請求項４３】
前記ハッシュ値は、その他の生成された値との衝突確率が低くなるようにするために計算される請求項４０に記載のコンピュータプログラム製品。
【請求項４４】
前記Ｗ−ＡＴに関する代替ユーザー識別子を生成するように構成された処理回路と、
前記代替ユーザー識別子及び第１の情報を前記遠隔装置に送信するように構成された送信回路であって、前記第１の情報は、前記Ｗ−ＡＴと関連づけられた１つ以上の情報を含む送信回路と、
前記代替ユーザー識別子及び第２の情報に基づいて前記遠隔装置から第２の情報を受信するように構成された受信回路と、をいっしょに備える、１つ以上の集積回路。
【請求項４５】
装置であって、
処理回路と、
前記Ｗ−ＡＴに関する代替ユーザー識別子を生成するための第１の組の命令と、
前記代替ユーザー識別子及び第１の情報を前記遠隔装置に提供するための第２の組の命令であって、前記第１の情報は、前記Ｗ−ＡＴと関連づけられた１つ以上の情報を含む第２の組の命令と、
前記代替ユーザー識別子及び第２の情報に基づいて前記遠隔装置から第２の情報を受信するための第３の組の命令と、
前記第２の情報を前記Ｗ−ＡＴの前記ユーザープロフィール内に組み入れるための第４の組の命令と、を含む前記処理回路に結合されたメモリと、を備える、装置。
【請求項４６】
前記代替ユーザー識別子は前記Ｗ−ＡＴにおいて生成される請求項１に記載の方法。
【請求項４７】
前記代替ユーザー識別子は乱数を用いて生成されるものであり、前記方法はさらに、
同じ乱数を用いて前記Ｗ−ＡＴに関するさらなる代替ユーザー識別子を生成することと、
前記Ｗ−ＡＴに関するターゲット特定コンテンツ−メッセージ情報と、前記Ｗ−ＡＴに関するユーザープロフィール情報との少なくとも一方に基づいて前記Ｗ−ＡＴに関する情報をさらに生成することと、
前記さらなる代替ユーザー識別子と、前記さらなる情報とを遠隔装置に提供することと、を具備する請求項１に記載の方法。